(57)【特許請求の範囲】
【請求項１】
複数のユーザのユーザ設定情報を記憶するユーザ設定情報記憶部と、上記ユーザ設定情報記憶部への各ユーザの設定情報の書込み及び読出しを制御する制御部とを備え、
ユーザ設定情報のコピーが指示された場合、上記制御部が、上記ユーザ設定情報記憶部に記憶されているユーザの情報を抽出して表示し、上記表示された複数のユーザの中から任意のユーザが選択されると、上記制御部が、選択されたユーザの設定情報を抽出して表示し、上記表示された設定情報の中から任意の設定情報が選択されると、上記制御部が、選択された設定情報を上記ユーザ設定情報記憶部から抽出してコピー情報として出力することを特徴とする画像処理装置。
【請求項２】
複数のユーザのユーザ設定情報を記憶するユーザ設定情報記憶部と、上記ユーザ設定情報記憶部への各ユーザの設定情報の書込み及び読出しを制御する制御部とを備え、
ユーザ設定情報のコピーが指示された場合、上記制御部が、上記ユーザ設定情報記憶部に記憶されている設定項目名を抽出して表示し、上記表示された設定項目名から任意の設定項目が選択されると、上記制御部が、選択された設定項目の各ユーザの設定情報を抽出して表示し、上記表示された設定情報の中から任意の設定情報が選択されると、上記制御手段が、選択された情報を上記ユーザ設定情報記憶部から抽出してコピー情報として出力することを特徴とする画像処理装置。
【請求項３】
請求項１または請求項２に記載された画像処理装置において、
上記ユーザ設定情報記憶部に記憶される設定情報は公開、非公開を設定できることを特徴とする画像処理装置。
【請求項４】
請求項１または請求項２に記載された画像処理装置において、
上記制御手段が、抽出されたコピー情報を上記ユーザ設定情報記憶部にユーザ設定情報として記憶することを特徴とする画像処理装置。
【請求項５】
請求項１または請求項２に記載された画像処理装置において、
上記制御手段が抽出されたコピー情報をエクスポート出力することを特徴とする画像処理装置。
【発明の詳細な説明】
【技術分野】
【０００１】
本発明は画像処理装置、特に、電話帳及び転送設定等のファックス設定、スキャン設定などをユーザ毎に機器設定として登録することができる画像処理装置に関する。
【背景技術】
【０００２】
コピー機能、ファクシミリ機能、プリント機能、スキャナ機能等を有するデジタル複合機あるいはファクシミリ装置等の画像処理装置では、ユーザ毎の機器設定を登録することができる。すなわち、電話帳及び転送設定等のファックス設定、スキャン画像の変換フォーマット、保存先等のスキャン設定、あるいは、コピー設定等の種々の機器設定をユーザ毎に登録することができる。
【０００３】
一方、近時、オフィスなどにおいて、ＬＡＮなどの通信ネットワークにより、ネットワーク複合機及び端末装置、いわゆるクライアントパソコンなどを接続してネットワークシステムを構成することが行われている。このようなネットワークシステムでは、ネットワーク複合機がファクシミリ受信したデータをクライアントパソコンに転送したり、あるいは、クライアントパソコンから受信したデータを指定された転送先に送信することができる。また、このクライアントパソコンから通信ネットワークを介してネットワーク複合機にファックス設定、スキャン設定、あるいは、コピー設定等のユーザ設定情報を登録することも可能である。
【発明の開示】
【発明が解決しようとする課題】
【０００４】
上記のように、従来の画像処理装置では、画像処理装置の操作部あるいはクライアントパソコンから通信ネットワークを介してファックス設定、スキャン設定、あるいは、コピー設定等のユーザ設定情報を画像処理装置に登録することができる。
しかしながら、画像処理装置には各ユーザが個別に設定した情報がユーザ毎に記憶されており、あるユーザの設定の利便性がよい場合、それを他のユーザが使用したいと思った場合には、同じ設定を１つ１つ行う必要がある。
【０００５】
また、複数のユーザの設定の中から利便性のよい設定を個々に利用したいと思った場合には、他のユーザが複数のユーザの設定を個々に参照しながら、1件、１件入力するという煩雑な作業が必要なため、手間がかかりユーザの負担が大きいという問題があった。
【０００６】
本発明は、上記の問題に鑑みてなされたもので、他のユーザのユーザ設定情報を容易に自身のユーザ設定情報として登録することができる画像処理装置を提供することを目的とする。
【課題を解決するための手段】
【０００７】
上述の目的を達成するため、本発明の画像処理装置は、複数のユーザのユーザ設定情報を記憶するユーザ設定情報記憶部と、上記ユーザ設定情報記憶部への各ユーザの設定情報の書込み及び読出しを制御する制御部とを備え、ユーザ設定情報のコピーが指示された場合、上記制御部が、上記ユーザ設定情報記憶部に記憶されているユーザの情報を抽出して表示し、上記表示された複数のユーザの中から任意のユーザが選択されると、上記制御部が、選択されたユーザの設定情報を抽出して表示し、上記表示された設定情報の中から任意の設定情報が選択されると、上記制御部が、選択された設定情報を上記ユーザ設定情報記憶部から抽出してコピー情報として出力することを特徴とする。
【０００８】
また、本発明の他の画像処理装置は、複数のユーザのユーザ設定情報を記憶するユーザ設定情報記憶部と、上記ユーザ設定情報記憶部への各ユーザの設定情報の書込み及び読出しを制御する制御部とを備え、ユーザ設定情報のコピーが指示された場合、上記制御部が、上記ユーザ設定情報記憶部に記憶されている設定項目名を抽出して表示し、上記表示された設定項目名から任意の設定項目が選択されると、上記制御部が、選択された設定項目の各ユーザの設定情報を抽出して表示し、上記表示された設定情報の中から任意の設定情報が選択されると、上記制御手段が、選択された情報を上記ユーザ設定情報記憶部から抽出してコピー情報として出力することを特徴とする。
【０００９】
さらに、本発明の他の画像処理装置は、上記のいずれかの画像処理装置において、上記ユーザ設定情報記憶部に記憶される設定情報は公開、非公開を設定できることを特徴とする。
また、本発明のさらに他の画像処理装置は、上記のいずれかの画像処理装置において、上記制御手段が、抽出されたコピー情報をユーザ設定情報として上記ユーザ設定情報記憶部に記憶するか、あるいは、エクスポート出力することを特徴とする。
【発明の効果】
【００１０】
本発明の画像処理装置によれば、ユーザ設定情報のコピーを指示した場合、選択したユーザの設定情報、あるいは、選択した設定項目の各ユーザの設定情報の中から任意の設定情報を選択することができる。したがって、この選択した設定情報をユーザ設定情報記憶部に記憶、あるいは、エクスポート出力することにより、他のユーザの機器設定を容易にコピーして自身のユーザ設定情報として登録することができる。
【００１１】
また、ユーザ設定情報記憶部に記憶されるユーザ設定情報の公開、非公開を設定できるようにしておけば、他のユーザの利用を防ぐことができ、ユーザ設定情報を保護することができる。
【実施例１】
【００１２】
以下、本発明の画像処理装置をネットワーク複合機に適用した実施例について説明する。図１はネットワーク複合機を備えたシステムのネットワーク構成例を示す図であり、図２はネットワーク複合機のハードウェア構成を示すブロック図である。
【００１３】
図１に示すネットワーク構成図において、１はネットワーク複合機、２、３、４・・・はパソコン、５は公衆交換電話網（ＰＳＴＮ）、６はＬＡＮ（Local Area Network）、７はインターネット網である。ネットワーク複合機１はコピーモード、プリンタモード、ファクスモードの各機能を備えるとともに、メール送信機能も備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、ネットワーク複合機１はこのインターネット網７を介してメールの送受信を行うことが可能である。
【００１４】
図２はネットワーク複合機１の制御系の構成を示す概略ブロック図であり、図に示すように、ネットワーク複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０及びＬＡＮインターフェース（Ｉ／Ｆ）２１から構成され、各部がバス２２を介して接続されている。
【００１５】
ＣＰＵ１１はバス２２を介してネットワーク複合機１のハードウェア各部を制御するとともに、ＲＯＭ１２に記憶されたプログラムに基づいて各種のプログラムを実行する。ＲＯＭ１２はネットワーク複合機の動作に必要な種々のプログラム及び操作メッセージ等を予め記憶している。また、ＲＡＭ１３はＳＲＡＭ等で構成され、プログラムの実行時に発生する一時的なデータを記憶するとともに、電話帳及び転送設定等のファックス設定、スキャン設定などのユーザ毎のユーザ設定情報を記憶するユーザ設定情報記憶領域２３を備えている。
【００１６】
表示・操作部１４は、ネットワーク複合機の動作状態を表示したり、あるいは、種々の機能の操作画面の表示を行う表示部と、ネットワーク複合機を操作するための複数のキーよりなる。読取部１５はオートドキュメントフィーダー（ＡＤＦ）あるいはフラットベッドスキャナ（ＦＢＳ）等の読取り用原稿載置台を備え、ＣＣＤ等を利用したスキャナで原稿を読み取り、ドットイメージデータを出力する。
【００１７】
また、画像メモリ１６は、ＤＲＡＭ等を用いて構成され、送信すべき画像データまたは受信した画像データあるいは読取部１５で読み取った画像データを記憶する。記録部１７は電子写真方式等のプリンタ装置を備え、受信したデータ、コピー原稿データあるいは外部のパソコンから送信されたプリントデータをプリントアウトする。
【００１８】
コーデック１８は所定のプロトコルに対応して符号化及び復号するものであり、読み取った原稿の画像データを送信するためにＭＨ、ＭＲまたはＭＭＲ方式により符号化し、外部から受信した画像データを復号する。また、このコーデック１８は電子メールに添付可能なファイルとして一般的に利用される画像フォーマットであるＴＩＦＦ方式等にも対応して符号化及び復号する。
【００１９】
モデム１９はバス２２に接続されており、ファクシミリ通信が可能なファクスモデムとしての機能を有し、このモデム１９は同様にバス２２に接続されたＮＣＵ２０と接続されている。ＮＣＵ２０はアナログ回線の閉結及び開放の動作を行うハードウェアであり、必要に応じてモデム１９をＰＳＴＮ５に接続する。
【００２０】
また、ＬＡＮインターフェース２１はＬＡＮ６に接続され、インターネット網７からの信号を受信する一方、ＬＡＮ６に対して信号やデータを送信するものであり、信号変換あるいはプロトコル変換などのインターフェース処理を実行する。
【００２１】
ネットワーク複合機１は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ５を通して通信相手先に送信される。また、ファクシミリ受信時には、受信した画像データがモデム１９で復調され、画像メモリ１６に蓄積された後、コーデック１８で復号されて記録部１７により印刷される。
【００２２】
一方、このネットワークシステムでは、ユーザがパソコン２、３、４等から他のユーザの設定情報を利用してネットワーク複合機１に電話帳及び転送設定等のファックス設定、スキャン設定などのユーザ設定情報を登録することができる。
【００２３】
例えば、パソコン２の操作者がＷＷＷブラウザを起動し、パソコン２のモニタ画面に表示されたＷＷＷブラウザ画面において、ネットワーク複合機１のＩＰアドレスを指定してアクセスを行うと、パソコン２のモニタ画面にネットワーク複合機１の機能指定画面が表示される。
【００２４】
そして、操作者がこの機能指定画面でユーザ設定情報のコピーを選択して指示すると、この要求がＬＡＮ６を介してネットワーク複合機１に転送される。
以下、このユーザ設定情報のコピー要求を受信した場合のＣＰＵ１１の作用を図３のフローチャートにより説明する。
【００２５】
パソコン２からのユーザ設定情報のコピー要求を受信すると、ＣＰＵ１１は、図３のフローチャートに示すプログラムを開始する。このプログラムを開始すると、ＣＰＵ１１は、まず、ＲＡＭ１３のユーザ設定情報記憶領域２３から設定情報が登録されているユーザ名を読み出し、パソコン２に送信する（ステップ１０１）。
これにより、パソコン２のモニタ画面に図４に示すユーザ選択画面が表示される。
【００２６】
図に示すように、図４のユーザ選択画面にはユーザ設定情報が登録されているユーザの名前と「O.K」ボタン、「閉じる」ボタンが表示されている。そして、操作者が選択したいユーザ名のチェック欄にチェックを入れた後、「O.K.」ボタンをクリックすることにより、設定情報を得たいユーザの名前が一括してネットワーク複合機１に送信される。また、「閉じる」ボタンをクリックすることにより、ブラウザのウィンドを閉じることができる。
【００２７】
一方、ＣＰＵ１１は、設定情報が登録されているユーザ名をパソコン２に送信した後、パソコン２から操作者が選択したユーザ名が一括して送信されてきたか否かを判定することにより、ユーザの選択通知があったか否かを判定している（ステップ１０２）。
そして、ユーザの選択通知があったと判定した場合、例えば、操作者がユーザ２とユーザ１０を選択していれば、ＣＰＵ１１は、ユーザ２とユーザ１０の設定情報をＲＡＭ１３のユーザ設定情報記憶領域２３から読み出してパソコン２に送信する（ステップ１０３）。
【００２８】
図５、図６は、ＲＡＭ１３のユーザ設定情報記憶領域２３に登録されているユーザの設定情報の１例を示すものである。図５に示すように、ユーザ２の設定情報としては、ファックス設定として電話帳２及び転送設定が登録されており、スキャナ設定として、スキャン画像の保存時の変換フォーマット及び保存先（ＦＴＰショートカット）等が登録されている。なお、これらの設定項目は登録時に公開、非公開を設定することができ、ユーザ設定情報記憶領域２３の該当項目毎に公開のものには可が、非公開のものには不可の情報が記憶されている。
【００２９】
同様に、図６に示すように、ユーザ１０の設定情報としては、ファックス設定として電話帳１０及び転送設定が登録されており、スキャナ設定として、スキャン画像の保存時の変換フォーマット及び保存先（ＦＴＰショートカット）等が登録されている。
【００３０】
ネットワーク複合機１からパソコン２に、上記のユーザ２とユーザ１０の設定情報が送信されると、パソコン２のモニタ画面に図７に示す設定情報選択画面が表示される。
図に示すように、この設定情報選択画面には、選択したユーザの設定情報と、「コピー作成」と「エクスポート出力」の選択欄及び「O.K」ボタン、「閉じる」ボタンが表示されている。なお、選択したユーザの設定情報の中で該当ユーザが非公開としている項目については「非公開」と表示され、公開とされている項目のみにチェック欄が表示されている。
【００３１】
また、「コピー作成」と「エクスポート出力」の選択欄はそれぞれのチェック欄にチェックを入れることにより、いずれか一方、あるいは、両方を選択することができる。「コピー作成」のチェック欄にチェックが入っている場合、操作者が選択した設定情報が操作者の設定情報としてユーザ設定情報記憶領域２３に記憶される。また、「エクスポート出力」のチェック欄にチェックが入っている場合、操作者が選択した設定情報がネットワーク複合機１からパソコン２に送信される。
【００３２】
図７の設定情報選択画面で操作者が選択した情報、すなわち、操作者が選択したユーザの設定情報及び「コピー作成」と「エクスポート出力」の選択情報は、「O.K.」ボタンをクリックすることによりネットワーク複合機１に一括して送信することができる。また、「閉じる」ボタンをクリックすることにより、ブラウザのウィンドを閉じることができる。
【００３３】
ＣＰＵ１１は、選択されたユーザの設定情報をパソコン２に送信した後、パソコン２から図７の設定情報選択画面で操作者が選択した情報が一括して送信されてきたか否かを判定することにより、設定情報の選択通知があったか否かを判定している（ステップ１０４）。
【００３４】
そして、設定情報の選択通知があったと判定した場合、ＣＰＵ１１は、操作者が図７の設定情報選択画面で「コピー作成」を選択していたか否かを判定する（ステップ１０５）。
操作者が「コピー作成」を選択していたと判定した場合、ＣＰＵ１１は、操作者が選択した設定情報をユーザ設定情報記憶領域２３から読み出し、操作者のユーザ設定情報としてユーザ設定情報記憶領域２３に記憶する（ステップ１０６）。
【００３５】
例えば、操作者が図７に示すように設定情報を選択していた場合、ユーザ２の電話帳、ユーザ１０の転送設定、変換フォーマット、ＦＴＰショートカットがネットワーク複合機１に転送される。これにより、操作者の設定情報として、図８に示すように、「電話帳２」、「転送設定：FAX222-222」、「変換フォーマット：TIFF」、FTPショートカット：ftp://YYY」等がユーザ設定情報記憶領域２３に記憶される。
【００３６】
一方、ステップ１０５で操作者が「コピー作成」を選択していなかったと判定した場合、あるいは、ステップ１０６で設定情報を記憶した後、ＣＰＵ１１は、操作者が「エクスポート出力」を選択していたか否かを判定する（ステップ１０７）。操作者が「エクスポート出力」を選択していなかったと判定した場合、ＣＰＵ１１は、ユーザ設定情報のコピープログラムを終了する。
【００３７】
また、ステップ１０７で、操作者が「エクスポート出力」を選択していたと判定した場合、ＣＰＵ１１は、操作者が選択した設定情報をユーザ設定情報記憶領域２３から読み出し、パソコン２に送信する（ステップ１０８）。そして、操作者が選択した設定情報が送られてくると、パソコン２は、モニタ画面に設定情報の「出力先」入力画面を表示し、指定されたフォルダに送信されてきた設定情報を保存する。
これにより、エクスポート出力された設定情報を他のネットワーク複合機やファクシミリ装置にインポートすることにより容易にユーザ設定情報を登録することができる。
【００３８】
以上のように、ユーザ設定情報のコピーを指示することにより、複数のユーザの設定情報を選択して自身のユーザ設定情報として記憶、あるいは、エクスポート出力することができるので、他のユーザの機器設定を容易に自身の設定として登録することができる。
【実施例２】
【００３９】
上記の実施例では、複数のユーザの中から選択されたユーザの設定情報を選択することにより設定情報をコピーしたが、設定項目名から選択された設定項目の各ユーザの設定情報の中から任意の設定情報を選択してコピーすることもできる。
【００４０】
以下、設定項目名から選択された設定項目の各ユーザの設定情報の中から任意の設定情報を選択する場合の実施例について、図９のフローチャートにより説明する。
なお、ネットワーク複合機等の構成は実施例１と同じであるので、説明は省略する。
【００４１】
パソコン２からユーザ設定情報のコピー要求を受信すると、ＣＰＵ１１は、図９のフローチャートに示すプログラムを開始し、まず、ＲＡＭ１３のユーザ設定情報記憶領域２３から登録されている設定項目名を読み出し、パソコン２に送信する（ステップ２０１）。
これにより、パソコン２のモニタ画面に図１０に示す設定項目選択画面が表示される。
【００４２】
図１０に示すように、設定項目選択画面にはユーザ設定情報として登録されている設定項目の名前と「O.K」ボタン、「閉じる」ボタンが表示されている。そして、操作者が設定したい設定項目名のチェック欄にチェックを入れた後、「O.K.」ボタンをクリックすることにより、設定情報を得たい設定項目名がネットワーク複合機１に送信される。また、「閉じる」ボタンをクリックすることにより、ブラウザのウィンドを閉じることができる。
【００４３】
一方、ＣＰＵ１１は、設定情報が登録されている設定項目名をパソコン２に送信した後、パソコン２から操作者が選択した設定項目名が送信されてきたか否かを判定することにより、設定項目の選択通知があったか否かを判定している（ステップ２０２）。
パソコン２から設定項目の選択通知があったと判定した場合、ＣＰＵ１１は、選択された設定項目の各ユーザの設定情報をパソコン２に送信する（ステップ２０３）。
【００４４】
例えば、図１０に示すように、「電話帳」と「FTPショートカット」が選択されていた場合、ＣＰＵ１１は、「電話帳」と「FTPショートカット」の設定情報の中から公開とされている設定情報をＲＡＭ１３のユーザ設定情報記憶領域２３から読み出してパソコン２に送信する。
【００４５】
ネットワーク複合機１からパソコン２に、上記の例の「電話帳」と「FTPショートカット」の設定情報が送信されると、パソコン２のモニタ画面に図１１に示す設定情報選択画面が表示される。
図に示すように、この設定情報選択画面には、「電話帳」と「FTPショートカット」の設定情報と、「コピー作成」と「エクスポート出力」の選択欄及び「O.K」ボタン、「閉じる」ボタンが表示されている。
【００４６】
実施例１と同様に、「コピー作成」と「エクスポート出力」の選択欄はそれぞれのチェック欄にチェックを入れることにより、いずれか一方、あるいは、両方を選択することができる。「コピー作成」のチェック欄にチェックが入っている場合、操作者が選択した設定情報が操作者の設定情報としてユーザ設定情報記憶領域２３に記憶される。また、「エクスポート出力」のチェック欄にチェックが入っている場合、操作者が選択した設定情報がネットワーク複合機１からパソコン２に送信される。そして、同様に、図１１の設定情報選択画面で操作者が選択した情報は、「O.K.」ボタンをクリックすることによりネットワーク複合機１に一括して送信することができ、「閉じる」ボタンをクリックすることにより、ブラウザのウィンドを閉じることができる。
【００４７】
ＣＰＵ１１は、選択された各項目の設定情報をパソコン２に送信した後、パソコン２から操作者が選択した設定情報が送信されてきたか否かを判定することにより、設定情報選択の通知があったか否かを判定している（ステップ２０４）。
設定情報選択の通知があったと判定した場合、ＣＰＵ１１は、操作者が図７の設定情報選択画面で「コピー作成」を選択していたか否かを判定する（ステップ２０５）。
【００４８】
操作者が「コピー作成」を選択していたと判定した場合、ＣＰＵ１１は、操作者が選択した設定情報をユーザ設定情報記憶領域２３から読み出し、操作者のユーザ設定情報としてユーザ設定情報記憶領域２３に記憶する（ステップ２０６）。これにより、例えば、操作者が図１１に示すように設定情報を選択していた場合、図１２に示すように、「電話帳３」、「FTPショートカット：ftp://ZZZ」が操作者のユーザ設定情報としてユーザ設定情報記憶領域２３に記憶される。
【００４９】
一方、ステップ２０５で操作者が「コピー作成」を選択していなかったと判定した場合、あるいは、ステップ２０６で設定情報を記憶した後、ＣＰＵ１１は、操作者が「エクスポート出力」を選択していたか否かを判定する（ステップ２０７）。操作者が「エクスポート出力」を選択していなかったと判定した場合、ＣＰＵ１１は、ユーザ設定情報のコピープログラムを終了する。
【００５０】
また、ステップ２０７で、操作者が「エクスポート出力」を選択していたと判定した場合、ＣＰＵ１１は、操作者が選択した設定情報をユーザ設定情報記憶領域２３から読み出し、パソコン２に送信する（ステップ２０８）。そして、操作者が選択した設定情報が送られてくると、パソコン２は、モニタ画面に設定情報の「出力先」入力画面を表示し、指定されたフォルダに送信されてきた設定情報を保存する。
これにより、同様に、エクスポート出力された設定情報を他のネットワーク複合機やファクシミリ装置にインポートすることにより容易にユーザ設定情報を登録することができる。
【００５１】
以上のように、ユーザ設定情報のコピーを指示した場合、選択された設定項目の各ユーザの設定情報の中から任意の設定情報を選択することにより、自身のユーザ設定情報とすることができるので、同様に他のユーザの機器設定を容易に自己の設定とすることができる。
【００５２】
なお、上記の実施例では、パソコンから通信ネットワークを介してネットワーク複合機に接続してユーザ設定情報をコピーする例について説明したが、ネットワーク複合機の操作画面でユーザや設定情報を選択することも可能である。
また、上記の実施例では、本発明の画像処理装置をネットワーク複合機に適用した例について説明したが、ネットワーク機能を持たない通常のファクシミリ装置等にも本発明を適用することが可能である。
【図面の簡単な説明】
【００５３】
【図１】ネットワーク複合機を備えたシステムのネットワーク構成例を示す図である。
【図２】ネットワーク複合機のハードウェア構成を示すブロック図である。
【図３】ユーザ設定情報のコピー要求を受信した場合のＣＰＵの作用を示すフローチャートである。
【図４】ユーザ選択画面の一例である。
【図５】ユーザ設定情報記憶領域に登録されているユーザの設定情報の一例である。
【図６】ユーザ設定情報記憶領域に登録されているユーザの設定情報の他の例である。
【図７】設定情報選択画面の一例である。
【図８】操作者のコピーしたユーザ設定情報の一例である。
【図９】ユーザ設定情報のコピー要求を受信した場合のＣＰＵの他の作用を示すフローチャートである。
【図１０】設定項目選択画面の一例である。
【図１１】設定情報選択画面の他の例である。
【図１２】操作者のコピーしたユーザ設定情報の他の例である。
【符号の説明】
【００５４】
１  ネットワーク複合機
２、３、４  パソコン
５  ＰＳＴＮ
６  ＬＡＮ
７  インターネット網
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ＬＡＮ  Ｉ／Ｆ
２２  バス
２３  ユーザ設定情報記憶領域
【図１】
0004910983.tif 000002
【図２】
0004910983.tif 000003
【図３】
0004910983.tif 000004
【図４】
0004910983.tif 000005
【図５】
0004910983.tif 000006
【図６】
0004910983.tif 000007
【図７】
0004910983.tif 000008
【図８】
0004910983.tif 000009
【図９】
0004910983.tif 000010
【図１０】
0004910983.tif 000011
【図１１】
0004910983.tif 000012
【図１２】
0004910983.tif 000013